(57)【要約】【課題】原稿が搬送される搬送経路を原稿台に対して正確に位置決めする。【解決手段】カバー部２００がプラテンガラス１２０を覆う閉じた状態において、原稿搬送部２５０は、補強部材２３０に対して上下方向移動可能に水平方向の位置決めされ且つ脚部２８４、２８８が読取部１００の上面部１１０におけるプラテンガラス１２０又はその周囲に当りプラテンガラス１２０を基準として上下方向に位置決めされる。原稿高さ規制部材３００（規制部３１０）は、補強部材２３０に上下方向移動可能に水平方向に位置決めされ且つ規制部材３００のリブ３３４がプラテンガラス１２０に当り上下方向に位置決めされる。したがって、プラテンガラス１２０の原稿読取領域１２２における原稿搬送経路Ｋのばらつきが抑制される。【選択図】図１０
2010219917.tif 000002
【特許請求の範囲】
【請求項１】
上面部に原稿台が設けられ、前記原稿台上の原稿読取領域に搬送され通過する原稿を読み取る読取部と、
前記原稿台を覆う覆部と、
前記覆部と前記読取部とを連結すると共に、原稿搬送方向に沿った回転軸を回転中心として、前記覆部を、前記原稿台が露出される開いた状態と前記原稿台を覆う閉じた状態とに開閉する取付部と、
前記覆部を構成すると共に前記取付部が取り付けられ、前記覆部が閉じた状態において、前記原稿読取領域に対応する部位に開口部が形成された骨格部と、
前記骨格部に設けられ、前記開口部を原稿搬送方向と交差する方向に横断し、前記取付部から応力が作用するように設けられた補強部材と、
前記覆部を構成すると共に前記骨格部の上に配置され、前記覆部が閉じた状態において前記原稿を前記原稿台上の前記原稿読取領域に搬送し通過させる原稿搬送部と、
前記原稿搬送部を前記補強部材に対して上下方向移動可能に水平方向の位置決めを行なう原稿搬送部水平方向位置決め手段と、
前記原稿搬送部に設けられ、前記覆部が閉じた状態において、前記読取部の前記上面部における前記原稿台又は前記原稿台の周囲に当り、前記原稿台を基準として前記原稿搬送部の上下方向の位置決めを行なう原稿搬送部上下方向位置決部と、
前記補強部材の下方側に配置され且つ前記原稿台の前記原稿読取領域との間に隙間を形成し、前記原稿読取領域を搬送される前記原稿に当り搬送高さ規制する規制部材と、
前記規制部材を前記補強部材に対して上下方向移動可能に水平方向の位置決めを行なう規制部材水平方向位置決め手段と、
前記規制部材に設けられ、前記覆部が閉じた状態において、前記読取部の前記上面部における前記原稿台又は前記原稿台の周囲に当り、前記原稿台を基準として前記規制部材の上下方向の位置決めを行なう規制部材上下方向位決部と、
を備える画像読取装置。
【請求項２】
前記規制部材と前記補強部材とが平面視で重なるように配置する請求項１に記載の画像読取装置。
【請求項３】
前記取付部は、前記覆部が開いた状態において、重力によって前記覆部が閉じようとする力に反発する力を発生させ開いた状態で静止させる機能を有する請求項１又は請求項２に記載の画像読取装置。
【発明の詳細な説明】
【技術分野】
【０００１】
本発明は、画像読取装置に関する。
【背景技術】
【０００２】
複写機やファクシミリ等の画像形成装置の上部に設けられている画像読取装置（画像読取装置部）は、原稿搬送ユニットの原稿トレイ上の複数毎の原稿を、１枚ずつ分離してプラテンガラス（原稿台）上の原稿読取領域（読取位置）へと自動的に搬送して読み取った後、原稿を原稿搬送ユニットの排出トレイ上に排出するように構成されている。
【０００３】
また、特許文献１には、原稿搬送ユニットがベースフレーム（骨格部）に対して、着脱可能に設けられた画像読取装置が提案されている（例えば、特許文献１参照）。
【先行技術文献】
【特許文献】
【０００４】
【特許文献１】特開平１０−１４２８５１号公報
【発明の概要】
【発明が解決しようとする課題】
【０００５】
原稿読取領域における原稿の搬送速度の変動を抑制することが求められている。
【０００６】
本発明は、上記を考慮し、規制部が骨格部に固定されている構造と比較し、原稿読取領域における原稿の搬送速度の変動が抑制される画像読取装置を提供することが目的である。
【課題を解決するための手段】
【０００７】
請求項１の発明は、上面部に原稿台が設けられ、前記原稿台上の原稿読取領域に搬送され通過する原稿を読み取る読取部と、前記原稿台を覆う覆部と、前記覆部と前記読取部とを連結すると共に、原稿搬送方向に沿った回転軸を回転中心として、前記覆部を、前記原稿台が露出される開いた状態と前記原稿台を覆う閉じた状態とに開閉する取付部と、前記覆部を構成すると共に前記取付部が取り付けられ、前記覆部が閉じた状態において、前記原稿読取領域に対応する部位に開口部が形成された骨格部と、前記骨格部に設けられ、前記開口部を原稿搬送方向と交差する方向に横断し、前記取付部から応力が作用する位置にように設けられた補強部材と、記覆部を構成すると共に前記骨格部の上に配置され、前記覆部が閉じた状態において前記原稿を前記原稿台上の前記原稿読取領域に搬送し通過させる原稿搬送部と、前記原稿搬送部を前記補強部材に対して上下方向移動可能に水平方向の位置決めを行なう原稿搬送部水平方向位置決め手段と、前記原稿搬送部に設けられ、前記覆部が閉じた状態において、前記読取部の前記上面部における前記原稿台又は前記原稿台の周囲に当り、前記原稿台を基準として前記原稿搬送部の上下方向の位置決めを行なう原稿搬送部上下方向位置決部と、前記補強部材の下方側に配置され且つ前記原稿台の前記原稿読取領域との間に隙間を形成し、前記原稿読取領域を搬送される前記原稿に当り搬送高さを規制する規制部材と、前記規制部材を前記補強部材に対して上下方向移動可能に水平方向の位置決めを行なう規制部材水平方向位置決め手段と、前記規制部材に設けられ、前記覆部が閉じた状態において、前記読取部の前記上面部における前記原稿台又は前記原稿台の周囲に当り、前記原稿台を基準として前記規制部材の上下方向の位置決めを行なう規制部材上下方向位決部と、を備える。
【０００８】
請求項２の発明は、前記規制部材と前記補強部材とが平面視で重なるように配置する。
【０００９】
請求項３の発明は、前記取付部は、前記覆部が開いた状態において、重力によって前記覆部が閉じようとする力に反発する力を発生させ開いた状態で静止させる機能を有する。
【発明の効果】
【００１０】
請求項１に記載の発明によれば、原稿搬送部と規制部とがそれぞれ原稿台を基準に正確に位置決めされると共に原稿搬送部に対して規制部が原稿台を基準に正確に位置決めされるので、規制部が骨格部に固定されている構造と比較し、原稿の搬送抵抗の変動が抑制され、その結果、原稿読取領域における原稿の搬送速度の変動が抑制される。
【００１１】
請求項２に記載の発明によれば、規制部材と補強部材とが平面視で重なっていない場合と比較し、原稿読取領域における原稿搬送経路が原稿台に対して正確に位置決めされる。
【００１２】
請求項３に記載の発明によれば、覆部が開いた状態で静止している際の応力を補強部が受けるので、開口部を横断するように補強部材が設けられていない構造と比較し、骨格部の変形が防止又は抑制される。
【図面の簡単な説明】
【００１３】
【図１】本発明の実施形態に係る画像読取装置が一体的に設けられた画像形成装置の構成を模式的に示す正面図である。
【図２】本発明の実施形態に係る画像読取装置が一体的に設けられた画像形成装置の上部を模式的に示す斜視図である。
【図３】図２の画像形成装置のカバー部が開いた状態の斜視図である。
【図４】カバー部を構成するベースフレームと原稿搬送部とを示す奥側から見た分解斜視図である。
【図５】カバー部を構成するベースフレームと原稿搬送部とを示す正面側から見た分解斜視図である。
【図６】カバー部を構成する原稿搬送部を斜め上方から見た斜視図である。
【図７】カバー部を構成する原稿搬送部を斜め下方から見た斜視図である。
【図８】カバー部を構成する原稿搬送部の分解斜視図である。
【図９】（Ａ）は、カバー部を構成するベースフレームと原稿搬送部との奥側の取付部位を示す斜視図であり、（Ｂ）が正面側の取付部位を示す斜視図である。
【図１０】画像読取装置の要部における原稿搬送方向に沿った断面図である。
【図１１】図１０の部分拡大断面図である。
【発明を実施するための形態】
【００１４】
まず、図１〜図１１を用いて、本発明の実施形態に係る画像読取装置（画像読取装置部）が一体的に設けられた画像形成装置について説明する。
【００１５】
図１は、本発明の実施形態に係る画像読取装置（画像読取装置部）が一体的に設けられた画像形成装置の構成を模式的に示す正面図である。図２は、本発明の実施形態に係る画像読取装置（画像読取装置部）が一体的に設けられた画像形成装置の上部を模式的に示す斜視図である。図３は、図２の画像形成装置のカバー部が開いた状態の斜視図である。
【００１６】
図１に示すように、画像形成装置１０は、画像形成部１２の上部に本発明の実施形態に係る画像読取装置部５０が配置された構成となっている。
【００１７】
画像読取装置部５０は原稿Ｐの画像を読み取り、読み取った信号を画像形成部１２に出力する。画像形成部１２は画像読取装置部５０から出力された信号に基づき、記録用紙やＯＨＰシート等の記録媒体に画像を形成する。なお、記録媒体に画像形成する方式は、特に限定されない。例えば、電子写真方式、インクジェット記録方式、熱転写方式等どのような方式であってもよい。
【００１８】
図２と図３とに示すように、画像形成装置１０の正面には、操作パネル１６が設けられている。なお、この操作パネル１６側が正面とし、反対側を奥側とする。また、図１と図２における破線Ｋが、後述する画像読取装置部５０のカバー部２００の原稿搬送部２５０（図４、図５参照、詳細は後述する）によって搬送される原稿Ｐの搬送経路Ｋである。つまり、原稿Ｐの搬送経路（搬送方向）Ｋと直交する方向が正面側及び奥側である。
【００１９】
図３に示すように、画像読取装置部５０は、原稿Ｐを置くことが可能な透明なプラテンガラス１２０が上面部１１０に設けられた読取部１００と、プラテンガラス１２０を覆うカバー部２００（図２も参照）と、を有している。また、読取部１００とカバー部２００とは、カウンターバランス７０Ａ，７０Ｂによって連結されている。
【００２０】
カウンターバランス７０Ａ，７０Ｂは、回転軸７２Ａ、７２Ｂを回転中心として、カバー部２００を、プラテンガラス１２０が露出される開いた状態（図３参照）と、カバー部２００がプラテンガラス１２０を覆う閉じた状態（図２参照）と、に開閉する機能（ヒンジ）を有している。更に、カウンターバランス７０Ａ，７０Ｂは、カバー部２００が開いた状態において、重力によってカバー部２００が閉じようとする力に反発する力をバネ等で発生させ、開いた状態（図３を参照）で静止させる機能を有している。なお、本カウンターバランス７０Ａ，７０Ｂは、従来と同様の一般的な構造であるので、詳しい説明を省略する。
【００２１】
ここで、本明細書の説明において、上下方向を説明する場合は、特に断りがないかぎり、カバー部２００がプラテンガラス１２０を覆う閉じた状態（図２参照）とする。
【００２２】
つぎに、読取部１００について説明する。なお、読取部１００は、従来と同様の一般的な構造である。よって、簡単に説明する。また、ここで説明する読取部１００の構造は一例であって他の構造であってもよい。
【００２３】
読取部１００の上面部１１０には、上面に原稿Ｐを置くことが可能な透明なプラテンガラス１２０が設けられている。そして、このプラテンガラス１２０の原稿搬送経路Ｋ方向の端部が原稿読取領域１２２とされている。そして、この原稿読取領域１２２の上に搬送され通過する原稿Ｐの画像が読み取られる。
【００２４】
プラテンガラス１２０の原稿読取領域１２２の下側には、原稿読取領域１２２の上を搬送され通過する原稿Ｐに対して照明光を照射する蛍光ランプやＬＥＤなどで構成された光源１３０が設けられている。光源１３０は、原稿搬送方向Ｋと直交する方向に沿って延在する。
【００２５】
光源１３０の光は、プラテンガラス１２０を透過して、プラテンガラス１２０の原稿読取領域１２２を通過する原稿Ｐに照射される。原稿Ｐに照射された光は原稿Ｐの表面（画像形成面）で反射され、反射光がプラテンガラス１２０を透過する。反射光は読取部１００の内部に設けられた第一反射ミラー１３２、第二反射ミラー１３４及び第三反射ミラー１３６で反射される。
【００２６】
第三反射ミラー１３６で反射された反射光は、読取部１００の内部に設けられたレンズ１４０によって、ＣＣＳなどの光検出部１４２に結像される。そして、光検出部１４２に結像されることによって、原稿Ｐの画像が読み取られる。
【００２７】
なお、カバー部２００は、プラテンガラス１２０の上面に覆い被さることにより、プラテンガラス１２０及び原稿Ｐに照射される外光を遮断する（図２の閉じた状態を参照）。
【００２８】
図１に示すように、カバー部２００は、原稿Ｐが重ねて置かれる原稿トレイ２５２を備えている。原稿トレイ２５２に置かれた原稿Ｐは、原稿給紙ロール対２５９によって、一枚ずつ繰り出され、複数の搬送ローラ対（図示略）によって搬送される。
【００２９】
そして、カバー部２００の下面における原稿読取領域１２２に対応する部位に形成された開口部２１０（図３参照）から一旦出て、読取部１００のプラテンガラス１２０の原稿読取領域１２２（図３参照）に搬送される。前述したように、原稿読取領域１２２（プラテンガラス１２０）の上面に沿って移動する原稿Ｐの画像を読取部１００が読み取る。原稿Ｐは、画像が読み取られたのち、原稿搬送方向に沿った縦断面が略三角形状のジャンプ台１５０（図３参照）によって再びカバー部２００に入り、排出ローラ対２６１によって、排紙部２５４に排出される。
【００３０】
なお、プラテンガラス１２０の原稿読取領域１２２の上面に沿って移動する原稿Ｐは、図１０、図１１に示すように、後述する原稿高さ規制部材３００の規制部３１０の下面３１０Ａとプラテンガラス１２０との隙間Ｔとの間を通過する。言い換えると、原稿Ｐは規制部３１０の下面３１０Ａにガイドされて搬送される。
【００３１】
つぎに、画像読取装置部５０を構成するカバー部２００について、図４〜図１１を用いて詳しく説明する。
【００３２】
なお、図４は、カバー部２００を構成するベースフレーム２０２と原稿搬送部（原稿搬送ユニット）２５０とを示す奥側から見た分解斜視図である。図５は、カバー部２００を構成するベースフレーム２０２と原稿搬送部２５０とを示す正面側から見た分解斜視図である。図６はカバー部２００を構成する原稿搬送部２５０を斜め上方から見た斜視図である。図７は、カバー部２００を構成する原稿搬送部２５０を斜め下方から見た斜視図である。図８は、カバー部２００を構成する原稿搬送部２５０の分解斜視図である。図９（Ａ）は、カバー部２００を構成するベースフレーム２０２と原稿搬送部２５０との奥側の取付部位を示す斜視図であり、（Ｂ）は正面側の取付部位を示す斜視図である。図１０は、画像読取装置部５０の要部における原稿搬送方向に沿った断面図である。図１１は、図１０の部分拡大断面図である。
【００３３】
図４と図５とに示すように、カバー部２００は、ベースフレーム２０２と、このベースフレーム２０２の上に設けられ原稿Ｐを原稿搬送経路Ｋ（図１参照）に沿って搬送する原稿搬送部（原稿搬送ユニット）２５０（図６参照）と、を有している。そして、原稿搬送部（原稿搬送ユニット）２５０は、ベースフレーム２０２に対して、容易に着脱可能な構成となっている（詳細は後述する）
【００３４】
図７に示すように、原稿搬送部２５０（図６参照）は、カバーアッシー２６２、フレームアッシーフィード２６４、用紙搬送路アッシーレジ２６６、用紙搬送路アッシーアウト２６８、用紙搬送路アッシーリタード２７０、用紙搬送路アッシーインバード２７２、原稿トレイ２５２等で構成されている。
【００３５】
カバーアッシー２６２及び用紙搬送路アッシーリタード２７０は、ネジで締結されておらず、カバー部２００（ベースフレーム２０２）から原稿搬送部２５０を取り外すと分解可能となっている。
【００３６】
用紙搬送路アッシーレジ２６６及び用紙搬送路アッシーインバード２７２はネジで２箇所フレームアッシーフィード２６４に固定されており、カバー部２００（ベースフレーム２０２）から原稿搬送部２５０を取り外し、ネジ締結を解除すると、分解可能となっている。
【００３７】
用紙搬送路アッシーアウト２６８は、フレームアッシーフィード２６４にネジで４個所締結されており、カバー部２００（ベースフレーム２０２）から原稿搬送部２５０を取り外し、ネジ締結を解除すると、分解可能となっている。
【００３８】
また、カバー類等を取り外すと、フレームアッシーフィード２６４に設けられているモータ、ソレノイド、インターロックスイッチ、及びセンサー等（いずれも図示略）も容易に取り外し可能となっている。
【００３９】
つまり、原稿搬送部（原稿搬送ユニット）２５０は、カバー部（ベースフレーム２０２）から容易に着脱可能な構成とされ、且つ、各パーツに容易に分解及び組立ができる構造とされている。
【００４０】
図５に示すように、ベースフレーム２０２は、樹脂製のフレーム本体２２０を有している。フレーム本体２２０の奥側の搬送方向の両側端部には、前述したカウンターバランス７０Ａ、７０Ｂ（この図５では７０Ｂは略）が取り付けられている。
【００４１】
図４と図５とに示すように、フレーム本体２２０には開口部２１０（図１、図３参照）が形成されている。前述したように、開口部２１０は、カバー部２００が閉じた状態（図２参照）におて、原稿読取領域１２２に対応する部位に形成されている。また、フレーム本体２２０の上面部には、開口部２１０を原稿搬送方向Ｋと直交する方向に横断する補強部材２３０が設けられている。
【００４２】
補強部材２３０は、樹脂製のフレーム本体２２０よりも剛性が高い板金製とされている。また、補強部材２３０は、開口側が上方側とする断面コ字状とされている（図１０、図１１も参照）。
【００４３】
補強部材２３０の奥側端部は、カウンターバランス７０Ａに結合されている。よって、カバー部２００を開閉する際のカウンターバランス７０Ａから応力やカバー部２００を開いた状態に維持する際のカウンターバランス７０Ａからの応力が、補強部材２３０に入力される（応力が作用する）。言い換えると、カウンターバランス７０Ａからの応力を補強部材２３０が受ける構造となっている。
【００４４】
図４に示すように、ベースフレーム２０２の補強部材２３０における正面側端部には（開口部２１０よりも正面側）には、ピン２３４が鉛直方向に設けられている。また、図５に示すように、ベースフレーム２０２の補強部材２３０における奥側端部には（開口部２１０よりも奥側）には、ピン２３２が鉛直方向に設けられている。
【００４５】
図４と図９（Ｂ）に示すように、原稿搬送部２５０の正面側には、正面側方向に向けて突出する突出部２７１が設けられている。突出部２７１は、正面側方向が開口側とされた平面視略Ｕ字形状の凹部２７３が形成されている。
【００４６】
図５と図９（Ａ）に示すように、原稿搬送部２５０の奥側には、奥側方向に向けて突出する突出部２６０が設けられている。突出部２６０は、鉛直方向を貫通方向とする貫通孔２６３が形成されている。
【００４７】
そして、図９（Ａ）と図９（Ｂ）とに示すように、原稿搬送部２５０の奥側の突出部２６０の貫通孔２６３を補強部材２３０の奥側端部のピン２３２に挿入し、原稿搬送部２５０の正面側の突出部２７１の凹部２７３を補強部材２３０の正面側端部のピン２３４に挿入することによって、原稿搬送部２５０が補強部材２３０に対して水平方向に位置決めされる。なお、原稿搬送部２５０の上下方向には移動可能となっている。
【００４８】
また、補強部材２３０の正面側端部のピン２３４の上部２３４Ａにビス（図示略）をねじ込むが、ネジの頭（図示略）と突出部２７１との間に隙間があり、原稿搬送部２５０の上下方向の移動を妨げないようになっている。言い換えると、ビスの頭と突出部２７１との隙間の範囲内で原稿搬送部２５０は上下方向に移動可能となっている。
【００４９】
よって、原稿搬送部（原稿搬送ユニット）２５０は、ベースフレーム２０２に対して、載っているだけの構造とされ、容易に着脱可能な構成となっている。言い換えると、原稿搬送部２５０は、ベースフレーム２０２に対して容易に組立及び取り外しが可能な構成となっている。
【００５０】
図７に示すように、原稿搬送部２５０の下面部には、下方に向けて脚部２８２、２８４、２８６、２８８が突出している。
【００５１】
図５、図３に示すように、ベースフレーム２０２のフレーム本体２２０における開口部２１０の長手方向の両端部には、脚部２８２、２８６に対応する部位に脚部用凹部２１２、２１６が形成されている。また、図３に示すように、ベースフレーム２０２のフレーム本体２２０における脚部２８４、２８８に対応する部位には、脚部用孔２１４、２１８が形成されている
【００５２】
よって、原稿搬送部２５０の脚部２８２、２８４、２８６、２８８は、脚部用凹部２１２、２１６及び脚部用孔２１４、２１８に挿入され、カバー部２００（ベースフレーム２０２）から脚部２８２、２８４、２８６、２８８が露出する。
【００５３】
そして、カバー部２００がプラテンガラス１２０を覆う閉じた状態（図２参照）において、原稿搬送部２５０の脚部２８２、２８６は、読取部１００のプラテンガラス１２０（但し、原稿Ｐが搬送される領域の外側）に当り、脚部２８４、２８８はプラテンガラス１２０の外側（周囲）の領域１１０Ａ，１００Ｂ（図３参照）に当り、原稿搬送部２５０を支える。よって、原稿搬送部２５０はプラテンガラス１２０を基準として上下方向に位置決めされる。なお、このとき、原稿搬送部２５０は、ベースフレーム２０２に対して上下方向に移動可能であるので、ベースフレーム２０２から若干浮いた状態となる。
【００５４】
図７に示すように、原稿高さ規制部材３００が、開口部２１０から露出している。原稿高さ規制部材３００は、原稿搬送方向と直交する方向に延在する板状の規制部３１０と、規制部３１０の長手方向（原稿搬送方向と直交する方向）の両端部に鉛直方向上方に向けて設けられた軸部３２２、３２４と、規制部３１０の長手方向（搬送方向と直交する方向）に両端部に鉛直方向下方に向けて突出するリブ３３２、３３４と、で構成されている。
【００５５】
図１０、図１１に示すように、補強部材２３０の両端部には、上下方向に貫通する挿入孔２３５が形成され、この挿入孔２３５に原稿高さ規制部材３００の軸部３２２、３２４が挿入さている（これらの図では、軸部３２４のみ図示）。よって、原稿高さ規制部材３００の規制部３１０は、上下方向移動可能に、補強部材２３０に対して水平方向に位置決めされている。なお、軸部３２２、３２４には、軸部３２２、３２４の外径及び補強部材２３０の挿入孔３２５より大きな部位が形成されており、原稿高さ規制部材３００が挿入孔２３５から落ちないようになっている。
【００５６】
また、原稿高さ規制部材３００の規制部３１０と補強部材２３０とは、平面視で重なるように配置されている。
【００５７】
そして、カバー部２００がプラテンガラス１２０を覆う閉じた状態（図２参照）において、原稿高さ規制部材３００の規制部３１０のリブ３３２、３３４が、プラテンガラス１２０（但し、原稿Ｐの搬送される領域の外側）に当り、原稿高さ規制部材３００（規制部３１０）を支える。よって、原稿高さ規制部材３００の規制部３１０の下面３１０Ａはプラテンガラス１２０に対して上下方向に位置決めされる。なお、リブ３３２、３３４は、上面部１１０におけるプラテンガラス１２０の外側の領域に当ってもよい。
【００５８】
なお、原稿高さ規制部材３００のリブ３３２、３３４が確実にプラテンガラス１２０に当るように、原稿高さ規制部材３００を下方側に押すバネなどの押圧部材を設けてもよい。
【００５９】
ここで、原稿高さ規制部材３００は原稿搬送部２５０には保持されていないので、図７では図示しないのが正しいが、説明を行いやすくするため（判りやすくするため）、図７に図示している。
【００６０】
つぎに、本実施形態の作用について説明する。
【００６１】
カバー部２００がプラテンガラス１２０を覆う閉じた状態（図２参照）において、原稿搬送部２５０は、補強部材２３０に上下方向移動可能に水平方向の位置決めされ且つ脚部２８２、２８４、２８６、２８８が読取部１００の上面部１１０におけるプラテンガラス１２０又はその外側（周囲）の領域１１０Ａ，１１０Ｂに当りプラテンガラス１２０を基準として上下方向に位置決めされる。よって、原稿搬送部２５０がベースフレーム２０２に固定される構造と比較し、原稿搬送部２５０はプラテンガラス１２０を基準として、高精度（正確）に位置決めされる。
【００６２】
一方、原稿高さ規制部材３００は、補強部材２３０に上下方向移動可能に水平方向に位置決めされ且つ規制部３１０のリブ３３２、３３４がプラテンガラス１２０に当り上下方向に位置決めされる。よって、原稿高さ規制部材３００（規制部３１０）がベースフレーム２０２や原稿搬送部２５０に固定された構造と比較し、原稿高さ規制部材３００の規制部３１０がプラテンガラス１２０に対して高精度（正確）に位置決めされる。
【００６３】
よって、規制部３１０（原稿高さ規制部材３００）と原稿搬送部２５０とがそれぞれプラテンガラス１２０に対して（プラテンガラス１２０を基準に）正確に位置決めされると共に、原稿搬送部２５０に対してプラテンガラス１２０を基準に規制部３１０の位置が正確に位置決めされる。別の観点から言い換えると、規制部３１０及び原稿搬送部２５０のプラテンガラス１２０に対する位置のばらつきが抑制されると共に、原稿搬送部２５０に対する規制部３１０の位置のばらつきが抑制される。したがって、規制部３１０（原稿高さ規制部材３００）がベースフレーム１２０に固定されている構造と比較し、原稿Ｐの搬送抵抗の変動が抑制され、その結果、原稿読取領域１２２における原稿Ｐの搬送速度の変動が抑制される。
【００６４】
また、図１０、図１１に示すように、規制部３１０（原稿高さ規制部材３００）がベースフレーム２０２に固定されている構造と比較し、規制部３１０の下面３１０Ａとプラテンガラス１２０との隙間Ｔのばらつきが抑制されるので、隙間Ｔを狭く設定することできる。このように、隙間Ｔのばらつきが抑制され隙間Ｔを狭く設定することで、原稿Ｐがジャンプ台１５０に当る際の角度が小さくなる。したがって、原稿Ｐがジャンプ台１５０に当る際の、原稿Ｐの搬送抵抗の変動が抑制され、その結果、原稿読取領域１２２における原稿Ｐの搬送速度の変動が抑制される。
【００６５】
また、カバー部２００がプラテンガラス１２０を覆う閉じた状態（図２参照）において、原稿搬送部２５０の荷重（自重）は脚部２８２、２８４、２８６が支えベースフレーム２０２にかからない。よって、ベースフレーム２０２に原稿搬送部２５０が固定されている構成（ベースフレーム２０２が原稿搬送部２５０を支える構成）と比較し、ベースフレーム２０２の変形が抑制される。よって、このような観点からも原稿搬送経路Ｋが正確に位置決めされる。
【００６６】
また、カバー部２００を開閉する際やカバー部２００を開いた状態に維持する際におけるカウンターバランス７０Ａからの応力が補強部材２３０に入力される。言い換えると、カウンターバランス７０Ａからの応力を補強部材２３０が受ける構造となっている。よって、フレーム本体２２０、特に開口部２１０周囲（近傍）の変形が、補強部材２３０が他の部位に設けられている構造よりも、防止又は抑制される。
【００６７】
また、原稿搬送部２５０は給紙から排出までの搬送手段が一体化されている（ユニット化されている）。そして、補強部材２３０に対して、簡単に組立及び取り外しができるようになっているので、組立性及びメンテナンス性が優れている。また、上下方向の位置決めが不要であるので、メンテナンス作業後の調整及び検査などが不要となる。
【符号の説明】
【００６８】
１０      画像形成装置
１２      画像形成部
５０      画像読取装置部（画像読取装置）
７０Ａ    カウンターバランス（取付部）
７０Ｂ    カウンターバランス（取付部）
７２Ａ    回転軸
７２Ｂ    回転軸
１００      読取部
１１０      上面部
１１０Ａ    外側の領域（周囲）
１１０Ｂ    外側の領域（周囲）
１２０      プラテンガラス（原稿台）
１２２      原稿読取領域
２００      カバー部（覆部）
２１０      開口部
２２０      フレーム本体（骨格部）
２３０      補強部材
２３２      ピン（原稿搬送部水平方向位置決め手段）
２３４      ピン（原稿搬送部水平方向位置決め手段）
２３５      挿入孔（規制部材水平方向位置決め手段）
２５０      原稿搬送部
２６０      突出部（原稿搬送部水平方向位置決め手段）
２６３      貫通孔（原稿搬送部水平方向位置決め手段）
２７１      突出部（原稿搬送部水平方向位置決め手段）
２７３      凹部（原稿搬送部水平方向位置決め手段）
２８２      脚部（原稿搬送部上下方向位置決部）
２８４      脚部（原稿搬送部上下方向位置決部）
２８６      脚部（原稿搬送部上下方向位置決部）
２８８      脚部（原稿搬送部上下方向位置決部）
３００      原稿高さ規制部材
３１０      規制部（規制部材）
３２２      軸部（規制部材水平方向位置決め手段）
３２４      軸部（規制部材水平方向位置決め手段）
３３２      リブ（規制部材上下方向位決部）
３３４      リブ（規制部材上下方向位決部）
Ｐ      原稿
Ｔ      隙間
【図１】
2010219917.tif 000003
【図２】
2010219917.tif 000004
【図３】
2010219917.tif 000005
【図４】
2010219917.tif 000006
【図５】
2010219917.tif 000007
【図６】
2010219917.tif 000008
【図７】
2010219917.tif 000009
【図８】
2010219917.tif 000010
【図９】
2010219917.tif 000011
【図１０】
2010219917.tif 000012
【図１１】
2010219917.tif 000013